(57)【要約】【課題】  ゴミ袋や水切り袋等として使用する袋で、環状の枠体に掛け止め具を使わずに吊り掛けることが出来る吊り掛け袋を提供する。【解決手段】  袋１の口を封じ、その封じ部２の中央部分より向かい合う周壁３に連続して底部４に向けた切込みを設ける。  この切込みを袋１の口とした縦方開口部５を形成し、この袋１の環状枠体７への装着は縦方開口部５より環状枠体７を挿入して底部４を環状枠体７の上から中に押し込む方法と封じ部２を上にして環状枠体７の内側に袋１を挿入し、左右の封じ部２を引き離して環状枠体を包む状態で封じ部２に底部４を差し込み、袋１を環状枠体７に吊り掛ける方法とがある。  袋１の左右両縁９に底部４へ向けた切溝による窓孔１１を設けることも出来る。【選択図】          図１
2006225014.tif 000002
【特許請求の範囲】
【請求項１】
袋の口を封じ、その封じ部の中央部分より向かい合う周壁に連続して底部に向けた切込みによる縦方開口部を設けたことを特徴とする吊り掛け袋。
【請求項２】
袋の左右両縁に底部へ向けた切溝による窓孔を設けた請求項１記載の吊り掛け袋。
【発明の詳細な説明】
【技術分野】
【０００１】
この発明は、ごみ袋や水切り袋等として使用する袋に関するもので、特に環状の枠体に吊り掛けるようにした吊り掛け袋に関するものである。
【背景技術】
【０００２】
従来のごみ袋や水切り袋等の袋は、環状の枠体に掛け吊るすときに袋の口を折り返して環状の枠体に掛け、クリップ等の掛け止め具によって吊り止めるものであった。
また、掛け止め具を使わず袋の開口部近くにハの字状に溶着部を設けて、開口部を開けたときの袋口の大きさが小さくなることを利用した、特許文献１で示すように、環状の枠体に掛け吊るす袋があった。
【０００３】
【特許文献１】特開平１１−２２７９０１号公報
【発明の開示】
【発明が解決しようとする課題】
【０００４】
袋の開口部をクリップ等の掛け止め具によって吊るし止めるものにおいては、環状枠体が複雑になってコスト高となるものであり、また、特開平１１−２２７９０１号においては、環状枠体の大きさとハの字状開口部の大きさとが正確に合致した袋しか掛け止めることが出来ない問題点があった。
【０００５】
そこで、本発明は、従来の袋が持っている問題点を解決するために考えたものである。
【課題を解決するための手段】
【０００６】
本発明は、袋１の開口部を封じて封じ部２を形成し、その封じ部２の中央部分より底部４に向けた切込みによる縦方開口部５を形成していて、この縦方開口部５は封じ部２と向かい合う周壁３とに連続する切込みとなっている。
【０００７】
この袋１を環状枠体７に吊り掛けるときには、縦方開口部５より環状枠体７を挿入して底部４を環状枠体７の上から中に押し込む方法と、封じ部２を上にして環状枠体７の内側に袋１を挿入し、切込みが左右に分かれている封じ部２を左右に引き離し、縦方開口部５を開きながら下側に引いて環状枠体７を包むようにしながら、封じ部２の端角となる三角袋８を裏返し、その裏返しの中に入れると環状枠体７に掛け止める方法とがあり、この袋１の取り外しは三角袋８を上に引き上げればよいことになる。
【０００８】
封じ部２の端角となる三角袋８を裏返しにすることが手間取るようであれば、図４に示すように、袋１の左右両縁９に底部４へ向けた切溝による窓孔１１を設けるこや図６に示す左右両端９と封じ部２とを切り取るとで、封じ部２の三角袋８を裏返しにすることが容易になり、裏返しにしなくとも袋１の底部４を封じ部２の内側に入れることが出来るものである。
【発明の効果】
【０００９】
本発明によれば、環状枠体７に袋１を取り付けた後に突起やクリップ等による掛け止め具を使用することなく環状枠体７から脱落することが起きないものとなり、縦方開口部５の大きさより小さい広さの環状枠体７であれば、環状枠体７の大きさを限定することなく、環状枠体７より大きい袋１を吊り掛けることが出来、その取り付けと取り外ししが簡単に出来るものである。
【００１０】
したがって、家庭用の各種ゴミ袋や公園、野外のピクニック、自動車の室内など幅広く使用することが出来る。
【発明を実施するための最良の形態】
【００１１】
以下、実施例を図面にもとづいて説明する。
【実施例１】
【００１２】
本発明に係わる実施例の一つとしては、図１に示すように、袋１の口を封じて封じ部２を設け、その封じ部２の中央部分より向かい合う周壁３に連続した切込みによる縦方開口部５を設けていて、その縦方開口部５の長さは袋１の高さの半分程が良く、切込みの先端には破断の進行を止める丸孔６を設けている。
【００１３】
この縦方開口部５を設けた袋１を環状枠体７に掛け止めるには、縦方開口部５より環状枠体７を挿入して底部４を環状枠体７の上から中に押し込む方法と、封じ部２を上にして環状枠体７の内側に入れ、左右に切り離れた封じ部２を左右に引いて縦方開口部５を開き、封じ部２の角部分となる三角袋８を図２に示すように裏返しにして環状枠体７を包むように下に引き、その裏返しの内側に底部４を図３に示すように差し込むことで袋１を環状枠体７に吊り掛ける方法とがある。
【００１４】
本発明に係わる吊り掛け袋としては、プラスチック製や紙類などの袋を使用することができ、台所の流し台で使われている水切り孔を設けた生ゴミ用袋のものは袋全体に水切り孔を設けたものが良く、封じ部２側と底部４側とに水切り孔を設けて中央部分に水切り孔を設けないものであっても良いもので、ネット製の袋を使用することが良いことは当然なもので、環状枠体７の形状としては四角、三角、円形、楕円形など自由である。
【実施例２】
【００１５】
その他の実施の形態としては、図４に示す袋１の左右両縁９や図５に示す内側折り込み部１０となったところに封じ部２を残して底部４に向けた切溝による窓孔１１を設けたものや図６に示す左右両縁９と封じ部２とを含めて底部４に向けた切溝による窓孔１１を設けたものとしている。
【００１６】
これを使用するときには、窓孔１１を設けていない図１から図３に示すものと同じようにして環状枠体７に掛け止めることが出来、封じ部２の三角袋８が存在していないため裏返しが容易になり、底部４を封じ部２の内側に入れるときにも窓孔１１から手先が自由に入ることで掛け止めの操作が容易になる。
【００１７】
また、封じ部２の裏返しを行わなくても封じ部２の内側に底部４を入れることが出来るもので、掛け止め操作が容易なものとなる。
【図面の簡単な説明】
【００１８】
【図１】本発明の実施例の一つを示す正面図である。
【図２】本発明の袋の封じ部を裏返した状態を示す斜視図である。
【図３】袋を環状枠体に吊り掛ける状態を示す斜視図である。
【図４】袋の左右両縁に窓孔を設けたものを示す斜視図である。
【図５】袋の内側折り込み部に窓孔を設けたものを示す平面図である。
【図６】封じ部を含めて左右両縁に窓孔を設けたものを示す平面図である。
【符号の説明】
【００１９】
１  袋
２  封じ部
３  周壁
４  底部
５  縦方開口部
６  丸孔
７  環状枠体
８  三角袋
９  左右両縁
１０  内側折り込み部
１１  窓孔
【図１】
2006225014.tif 000003
【図２】
2006225014.tif 000004
【図３】
2006225014.tif 000005
【図４】
2006225014.tif 000006
【図５】
2006225014.tif 000007
【図６】
2006225014.tif 000008